(57)【特許請求の範囲】
【請求項１】
圧力水の噴射によって緯糸を射出する複数の緯入れノズル、及び緯入れタイミングに同期して圧力水を供給する複数のポンプを備え、前記複数のポンプのうちのいずれか１つから前記複数の緯入れノズルのうちのいずれか１つに圧力水を供給する緯入れ水切り換え装置において、
前記複数のポンプに１対１に連通する複数の供給水路を備えた供給部と、
前記複数の緯入れノズルの個数と同数の中間水路、及び同数の中間排水路を備えた選択部と、
前記複数の供給水路のうちの１つと前記複数の中間水路のうちの１つとを連通することにより、供給水路からの圧力水を中間水路を介して緯入れノズルに供給するように前記供給部と前記選択部との相対位置を切り換える切り換え手段とを備え、
前記複数の供給水路のうちの１つと前記複数の中間水路のうちの１つとを連通する前記供給部と前記選択部との特定の相対位置のそれぞれに対応して、前記中間水路に連通する前記供給水路以外の供給水路が前記中間排水路に連通するようにし、
前記選択部の中間水路及び中間排水路は、不動部を持つ外部配管に直接結合しない水路であり、前記切り換え手段は、前記選択部を動かして前記供給部と前記選択部との相対位置を切り換え、
前記供給部は、前記選択部の中間排水路に連通可能な集合排水路を備えており、前記複数の特定の相対位置の状態では、前記緯入れノズルに供給されない圧力水の供給水路に連通する中間排水路と前記集合排水路とが連通するようにしたウオータジェットルームにおける緯入れ水切り換え装置。
【請求項２】
圧力水の噴射によって緯糸を射出する複数の緯入れノズル、及び緯入れタイミングに同期して圧力水を供給する複数のポンプを備え、前記複数のポンプのうちのいずれか１つから前記複数の緯入れノズルのうちのいずれか１つに圧力水を供給する緯入れ水切り換え装置において、
前記複数のポンプに１対１に連通する複数の供給水路を備えた供給部と、
前記複数の緯入れノズルの個数と同数の中間水路、及び同数の中間排水路を備えた選択部と、
前記複数の供給水路のうちの１つと前記複数の中間水路のうちの１つとを連通することにより、供給水路からの圧力水を中間水路を介して緯入れノズルに供給するように前記供給部と前記選択部との相対位置を切り換える切り換え手段とを備え、
前記複数の供給水路のうちの１つと前記複数の中間水路のうちの１つとを連通する前記供給部と前記選択部との特定の相対位置のそれぞれに対応して、前記中間水路に連通する前記供給水路以外の供給水路が前記中間排水路に連通するようにし、
前記選択部の中間水路及び中間排水路は、不動部を持つ外部配管に直接結合しない水路であり、前記切り換え手段は、前記選択部を動かして前記供給部と前記選択部との相対位置を切り換え、
前記供給部は、ロッド形状であって前記複数の供給水路の流出口を側面に持つフレーム側に固定された不動体であり、前記選択部は、前記不動体の前記側面に摺接して直線移動するように嵌合されたパイプ形状の摺動体であり、前記流出口は、前記不動体の側面に接合する前記摺動体の内側面上で前記中間水路又は前記中間排水路に接続するようにしたウオータジェットルームにおける緯入れ水切り換え装置。
【請求項３】
前記複数の緯入れノズルは前記選択部側に止着されており、前記複数の特定の相対位置の状態では、前記供給水路に連通した中間水路から圧力水が供給される緯入れノズルが所定の緯入れ位置に位置するようにした請求項１及び請求項２のいずれか１項に記載のウオータジェットルームにおける緯入れ水切り換え装置。
【請求項４】
前記複数のポンプのうちの少なくとも１つに連通する供給水路は、複数の緯入れノズルに圧力水を供給するよう、複数の中間水路に選択的に連通し得る請求項１乃至請求項３のいずれか１項に記載のウオータジェットルームにおける緯入れ水切り換え装置。
【発明の詳細な説明】
【０００１】
【発明の属する技術分野】
本発明は、圧力水の噴射によって緯糸を射出する複数の緯入れノズル、及び緯入れタイミングに同期して圧力水を供給する複数のポンプを備え、前記複数のポンプのうちのいずれか１つから前記複数の緯入れノズルのうちのいずれか１つに圧力水を供給するウオータジェットルームにおける緯入れ水切り換え装置に関するものである。
【０００２】
【従来の技術】
複数の緯入れノズルを用いて複数種類の緯糸を緯入れするウオータジェットルームとしては、例えば特開昭５０−４８２６０号公報、実公平３−２９３４４号公報に開示されるものがある。特開昭５０−４８２６０号公報のウオータジェットルームでは、一対の緯入れノズルのうちのいずれか一方が緯糸を射出する位置（緯入れ位置）に切り換え配置される。緯入れ位置に切り換え配置された緯入れノズルは、圧力水供給用の中空通路に連通し、圧力水が緯入れ位置に配置された緯入れノズルに供給される。中空通路は単一の圧力源に繋がっている。
【０００３】
実公平３−２９３４４号公報のウオータジェットルームでは、不動配置された一対の緯入れノズルがそれぞれ第１の制御弁を介して別々のポンプに繋げられている。各ポンプは、緯入れタイミングに同期して水を圧送するようになっている。従って、緯入れタイミングに圧力水を噴射しない、即ち緯糸を射出しない側の緯入れノズルに繋がるポンプから圧送される圧力水は、第２の制御弁を介して排水される。
【０００４】
【発明が解決しようとする課題】
特開昭５０−４８２６０号公報のウオータジェットルームでは、単一の圧力源から圧送される圧力水が一対の緯入れノズルのいずれか一方で必ず使用される。従って、緯入れノズルに供給されない圧力水の排水の問題は生じない。緯糸の緯入れは、その緯糸種類に適した圧力の圧力水で緯入れノズルから射出するのが望ましく、性状に大きな違いのある２つの緯糸を緯入れする場合には、それぞれの緯糸種類に適した圧力の圧力水で緯入れノズルから射出するのがよい。しかし、単一の圧力源しか持たないウオータジェットルームでは、緯糸種類に応じた圧力の圧力水の使い分けという緯入れの仕方はできない。
【０００５】
実公平３−２９３４４号公報のウオータジェットルームでは、少なくとも２種類の緯糸をそれぞれの種類に応じた圧力の圧力水で緯入れすることができる。しかし、そのためには一対の第１の制御弁及び１つの第２の制御弁が必要となり、配管構成が複雑となって装置のコンパクト化が難しく、かつ装置コストが高価となる。
【０００６】
本発明は、配管構成が簡素でコンパクト化が容易、かつ装置コストも低減できるウオータジェットルームにおける緯入れ水切り換え装置を提供することを目的とする。
【０００７】
【課題を解決するための手段】
そのために本発明は、圧力水の噴射によって緯糸を射出する複数の緯入れノズルへ圧力水を供給する複数のポンプを備え、前記複数のポンプのうちのいずれか１つから前記複数の緯入れノズルのうちのいずれか１つに圧力水を供給する緯入れ水切り換え装置を対象とし、請求項１及び２の発明では、前記複数のポンプに１対１に連通する複数の供給水路を備えた供給部と、前記複数の緯入れノズルの個数と同数の中間水路、及び中間排水路を備えた選択部と、前記複数の供給水路のうちの１つと前記複数の中間水路のうちの１つとを連通することにより、供給水路からの圧力水を中間水路を介して緯入れノズルに供給するように前記供給部と前記選択部との相対位置を切り換える切り換え手段とを備えた緯入れ水切り換え装置を構成し、前記複数の供給水路のうちの１つと前記複数の中間水路のうちの１つとを連通する前記供給部と前記選択部との特定の相対位置のそれぞれに対応して、前記中間水路に連通する前記供給水路以外の供給水路が前記中間排水路に連通するようにした。
【０００８】
緯入れタイミングにおいて前記供給部と前記選択部との相対位置が複数の特定の相対位置のうちのいずれかである場合には、前記複数の緯入れノズルのうちのいずれか１つのみが圧力水を噴射する。圧力水を噴射している緯入れノズルへ圧力水を供給しているポンプ以外のポンプから圧送されている圧力水は、中間排水路を経由して排水される。
【０００９】
また、請求項１及び２の発明では、前記選択部の中間水路及び中間排水路は、不動部を持つ外部配管に直接結合しない水路とし、前記切り換え手段は、前記選択部を動かして前記供給部と前記選択部との相対位置を切り換えるものとした。
【００１０】
選択部を動かして供給部と選択部との相対位置を切り換える構成は、配管構成の上で簡便である。
とくに、請求項１の発明では、前記選択部の中間排水路に連通可能な集合排水路を備えた前記供給部を構成し、前記複数の特定の相対位置の状態では、前記緯入れノズルに供給されない圧力水の供給水路に連通する中間排水路と前記集合排水路とが連通するようにした。
【００１１】
圧力水を噴射している緯入れノズルへ圧力水を供給しているポンプ以外のポンプから圧送されている圧力水は、中間排水路及び集合排水路を経由して排水される。
【００１２】
とくに、請求項２の発明では、前記供給部は、ロッド形状であって前記複数の供給水路の流出口を側面に持つフレーム側に固定された不動体とし、前記選択部は、前記不動体の前記側面に摺接して直線移動するように嵌合されたパイプ形状の摺動体とし、前記流出口は、前記不動体の側面に接合する前記摺動体の内側面上で前記中間水路又は前記中間排水路に接続するようにした。
【００１３】
ロッド形状の不動体とパイプ形状の摺動体との嵌合構成は、装置のコンパクト化に有利である。又、選択部を直線的に動かす構成は、供給部と選択部との相対位置を円滑に切り換える上で簡便である。
【００１４】
請求項３の発明では、請求項１及び請求項２のいずれか１項において、前記複数の緯入れノズルは前記選択部側に止着し、前記複数の特定の相対位置の状態では、前記供給水路に連通した中間水路から圧力水が供給される緯入れノズルが所定の緯入れ位置に位置するようにした。
【００１５】
複数の緯入れノズルと選択部とを一体的に移動させた構成は、緯入れすべき緯入れノズルの移動と圧力水の供給タイミングとをコンパクトな装置で同期させる上で最適である。
【００１６】
請求項４の発明では、請求項１乃至請求項３のいずれか１項において、前記複数のポンプのうちの少なくとも１つに連通する供給水路は、複数の緯入れノズルに圧力水を供給するよう、複数の中間水路に選択的に連通し得るようにした。
【００１７】
種類の異なる複数の緯糸の性状が大きく異ならない場合には、同じ圧力の圧力水で前記複数の緯糸の緯入れを行なっても問題はない。複数の緯入れノズルに同一のポンプから圧力水を供給する構成は、複数の緯糸の性状が大きく異ならない場合の緯入れに有効である。
【００１８】
【発明の実施の形態】
以下、本発明を具体化した第１の実施の形態を図１〜図７に基づいて説明する。
【００１９】
図１（ａ）に示すポンプ１１，１２は、織機主軸（図示略）に連動して駆動されるカム機構（図示略）により駆動される。ポンプ１１，１２は、定水位タンク１３内の水を汲み取り、ポンプ１１，１２は、定水位タンク１３から汲み取った水を織機１回転中の緯入れタイミングに緯入れノズル１４，１５，１６，１７側に圧送する。ポンプ１１，１２と定水位タンク１３との間の給水管路１８，１９上にはチャージバルブ２０，２１が介在されており、チャージバルブ２０，２１には水道管２２，２３が接続されている。チャージバルブ２０，２１は、常には水道管２２，２３から給水管路１８，１９へ水道水が流入しないように閉状態になっている。しかし、織機を長時間停止させた後に再始動する際には、チャージバルブ２０，２１は閉状態から開状態に切り換えられ、水道水がポンプ１１，１２を経由して緯入れノズル１４，１５，１６，１７側に供給される。緯入れ開始時における緯入れノズル内の水の干上がりは緯入れ不良をもたらすが、織機の長時間停止後の再始動時のこのようなチャージバルブ２０，２１の切り換えは、緯入れ開始時における緯入れノズル内の水の干上がりを防止する。
【００２０】
ポンプ１１，１２の下流側の給水管路２４，２５には選択弁２６が接続されている。選択弁２６は、サイドフレーム５７（図３参照）側に固定されたロッド形状の不動体２７と、不動体２７に摺動可能に嵌合されたパイプ形状の摺動体２８とからなる。摺動体２８は、不動体２７の側面に摺接する内筒２９と、内筒２９に嵌合固定された外筒３０とからなる。図４に示すように、外筒３０はねじ４３の締め付けによって内筒２９に固定されている。ねじ４３を外筒３０から外せば、外筒３０から内筒２９を外すことができる。ねじ４３のロッド部４３１は、外筒３０の外周面に形成された位置規制凹部３０１に嵌まり込んでおり、位置規制凹部３０１に嵌まり込んだロッド部４３１が外筒３０と内筒２９との相対位置を規制している。
【００２１】
外筒３０にはホルダ３１がねじ３２により締めつけて止着されており、ホルダ３１には緯入れノズル１４，１５，１６，１７が取り付けられている。図１（ａ）、図２及び図３にＲで示す高さ位置は、緯糸Ｙ１，Ｙ２，Ｙ３，Ｙ４を緯入れするために緯入れノズル１４，１５，１６，１７が位置する緯入れ位置である。
【００２２】
図２及び図３に示すように、織機のサイドフレーム５７にはサポート板５８がボルト５９により締め付け固定されており、サポート板５８にはベース６０が止着されている。不動体２７はベース６０に立設して固定されている。ベース６０内には給水管路２４，２５が引き入れられている。サポート板５８にはガイドロッド６１が立設して固定されている。ガイドロッド６１は不動体２７と平行にしてあり、摺動体２８の外筒３０に止着されたブラケット６２がガイドロッド６１に摺接して上下に案内されるようになっている。これにより摺動体２８は、不動体２７の軸心回りに回転することなく緯入れノズル１４，１５，１６，１７の向きを常に一定としたまま上下動可能である。
【００２３】
図４（ａ），（ｂ）に示すように、ホルダ３１内には複数の給水通路３１１が緯入れノズル１４，１５，１６，１７と１対１に対応して形成されている。図４（ａ）は図１（ｂ）のＡ１−Ａ１線断面図を表し、図４（ｂ）は図１（ｂ）のＡ２−Ａ２線断面図を表し、図４（ｃ）は図１（ｂ）のＢ−Ｂ線断面図を表す。各給水通路３１１は、各緯入れノズル１４，１５，１６，１７の周囲に形成された環状室３３に連通している。給水通路３１１に供給された圧力水は、環状室３３、緯糸案内用ニードル３４の周囲の水路３４１を経由して噴射口３５から噴射される。緯糸案内用ニードル３４に通された緯糸Ｙ１，Ｙ２，Ｙ３，Ｙ４は、圧力水の噴射によって図示しない経糸開口内へ緯入れされる。なお、緯糸Ｙ１と緯糸Ｙ２とは、性状（圧力水の噴射圧力、流量に対する牽引力）に大きな違いのないものであり、緯糸Ｙ３と緯糸Ｙ４とは、性状に大きな違いのないものである。
【００２４】
図１（ｂ）及び図６（ｂ）に示すように、不動体２７の下部側には第１の供給水路３６及び第２の供給水路３７が不動体２７の軸線Ｌ１の方向に形成されている。不動体２７の上部側には集合排水路３８が軸線Ｌ１の方向に形成されている。第１の供給水路３６には給水管路２４が接続されており、第２の供給水路３７には給水管路２５が接続されている。不動体２７の側面には一対の流出口３６１，３７１及び一対の流入口３８１，３８２が形成されている。流出口３６１は第１の供給水路３６の流出口であり、流出口３７１は第２の供給水路３７の流出口である。一対の流入口３８１，３８２は集合排水路３８の流入口である。
【００２５】
図６（ａ），（ｂ）に示すように、摺動体２８を構成する内筒２９には一対の中間水路２９１，２９２及び一対の中間排水路２９３，２９４がこの順に上から配列して形成されている。同様に、内筒２９には一対の中間排水路２９５，２９６及び一対の中間水路２９７，２９８がこの順に上から配列して形成されている。中間水路２９１は、図４（ａ）に示すホルダ３１内の複数の給水通路３１１のうちの１つを介して緯入れノズル１４の環状室３３に連通している。中間水路２９２は、図４（ｂ）に示すホルダ３１内の複数の給水通路３１１のうちの１つを介して緯入れノズル１５の環状室３３に連通している。中間水路２９７は、図４（ｃ）ホルダ３１内の複数の給水通路３１１のうちの１つを介して緯入れノズル１６の環状室３３に連通している。中間水路２９８は、図４（ｃ）に示すホルダ３１内の複数の給水通路３１１のうちの１つを介して緯入れノズル１７の環状室３３に連通している。図６（ｂ）に示す第１の供給水路３６の流出口３６１は、摺動体２８の上下動によって一対の中間水路２９１，２９２及び一対の中間排水路２９３，２９４に接続可能である。第２の供給水路３７の流出口３７１は、摺動体２８の上下動によって一対の中間排水路２９５，２９６及び一対の中間水路２９７，２９８に接続可能である。
【００２６】
図１（ａ）に示すように、集合排水路３８には排水管路４１が接続されており、排水管路４１には大気開放型貯水タンク４２が分岐接続されている。貯水タンク４２は、サイドフレーム５７上に立設されたドビースタンド６５（図２及び図３に図示）上に設置されている。貯水タンク４２は、下部に設けられた突出管４２１と、上部に設けられた大気開放孔４２２と、大気開放孔４２２の直下に配置された遮蔽板４２３とを備えている。排水管路４１には分岐管４１１が接続されており、分岐管４１１は突出管４２１に接続されている。排水管路４１は定水位タンク１３に接続されている。
【００２７】
図３に示すように、サイドフレーム５７の側面にはヘルドガイドブラケット６３が止着されており、ヘルドガイドブラケット６３の上部にはヘルドガイド６４が止着されている。ヘルドガイドブラケット６３の上部にはサーボモータ型の切り換えモータ３９が設けられている。切り換えモータ３９の出力軸３９２にはクランク円板３９１が止着されている。クランク円板３９１にはクランクロッド４０の一端が連結されており、クランクロッド４０の他端がブラケット６２に連結されている。切り換えモータ３９が回転すると摺動体２８が上下動し、摺動体２８と不動体２７との相対位置が切り換えられる。切り換えモータ３９、出力軸３９２、クランク円板３９１及びクランクロッド４０は、不動体２７と摺動体２８との相対位置を切り換える切り換え手段を構成する。不動体２７に対する摺動体２８の相対位置は、図５（ａ），（ｂ），（ｃ），（ｄ）に示す４つの相対位置に特定される。
【００２８】
図５（ａ）に示す不動体２７と摺動体２８との第１の特定の相対位置の状態では、第１の供給水路３６の流出口３６１と中間水路２９１とが連通し、第２の供給水路３７の流出口３７１と中間排水路２９５とが連通すると共に、中間排水路２９５と集合排水路３８の流入口３８２とが連通する。第１の特定の相対位置の状態では、緯入れノズル１４が緯糸Ｙ１を経糸開口内へ緯入れするための緯入れ位置Ｒに位置する。ポンプ１１から圧送された圧力水は、第１の供給水路３６及び中間水路２９１を経由して緯入れノズル１４に供給される。又、ポンプ１２から圧送された圧力水は、第２の供給水路３７、中間排水路２９５、集合排水路３８及び排水管路４１を経由して定水位タンク１３に還流する。
【００２９】
図５（ｂ）に示す不動体２７と摺動体２８との第２の特定の相対位置の状態では、第１の供給水路３６の流出口３６１と中間水路２９２とが連通し、第２の供給水路３７の流出口３７１と中間排水路２９６とが連通すると共に、中間排水路２９６と集合排水路３８の流入口３８２とが連通する。第２の特定の相対位置の状態では、緯入れノズル１５が緯糸Ｙ２を経糸開口内へ緯入れするための緯入れ位置Ｒに位置する。ポンプ１１から圧送される圧力水は、第１の供給水路３６及び中間水路２９２を経由して緯入れノズル１５に供給される。又、ポンプ１２から圧送される圧力水は、第２の供給水路３７、中間排水路２９６、集合排水路３８及び排水管路４１を経由して定水位タンク１３に還流する。
【００３０】
図５（ｃ）に示す不動体２７と摺動体２８との第３の特定の相対位置の状態では、第１の供給水路３６の流出口３６１と中間排水路２９３とが連通し、第２の供給水路３７の流出口３７１と中間水路２９７とが連通すると共に、中間排水路２９３と集合排水路３８の流入口３８１とが連通する。第３の特定の相対位置の状態では、緯入れノズル１６が緯糸Ｙ３を経糸開口内へ緯入れするための緯入れ位置Ｒに位置する。ポンプ１２から圧送される圧力水は、第２の供給水路３７及び中間水路２９７を経由して緯入れノズル１６に供給される。又、ポンプ１１から圧送される圧力水は、第１の供給水路３６、中間排水路２９３、集合排水路３８及び排水管路４１を経由して定水位タンク１３に還流する。
【００３１】
図５（ｄ）に示す不動体２７と摺動体２８との第４の特定の相対位置の状態では、第１の供給水路３６の流出口３６１と中間排水路２９４とが連通し、第２の供給水路３７の流出口３７１と中間水路２９８とが連通すると共に、中間排水路２９４と集合排水路３８の流入口３８１とが連通する。第４の特定の相対位置の状態では、緯入れノズル１７が緯糸Ｙ４を経糸開口内へ緯入れするための緯入れ位置Ｒに位置する。ポンプ１２から圧送される圧力水は、第２の供給水路３７及び中間水路２９８を経由して緯入れノズル１７に供給される。又、ポンプ１１から圧送される圧力水は、第１の供給水路３６、中間排水路２９４、集合排水路３８及び排水管路４１を経由して定水位タンク１３に還流する。
【００３２】
なお、排水管路４１を流れる水の一部が図１（ａ）に示す分岐管４１１から貯水タンク４２内へ噴出するが、遮蔽板４２３が大気開放孔４２２からの水流出を防止する。貯水タンク４２内には水が所定量溜まり、一部は排水管路４１を介して定水位タンク１３へ排出される。
【００３３】
第１の実施の形態では以下の効果が得られる。
（１-1）ポンプ１１から圧送される圧力水は、選択弁２６を介して２つの緯入れノズル１４，１５の一方に供給されるか、あるいは排水される。ポンプ１２から圧送される圧力水は、選択弁２６を介して２つの緯入れノズル１６，１７の一方に供給されるか、あるいは排水される。即ち、緯入れに供されない圧力水は、選択弁２６を介して定水位タンク１３に還流して排水される。緯入れに供される圧力水及び緯入れに供されない圧力水を単一の選択弁２６で切り換え選択する構成は、緯入れ水切り換え装置全体の配管構成の簡素化、低コスト化、コンパクト化をもたらす。
【００３４】
（１-2）供給部となる不動体２７と選択部となる摺動体２８との相対位置の切り換えは、摺動体２８を上下動させて行なう。摺動体２８内の中間水路２９１，２９２，２９７，２９８及び中間排水路２９３，２９４，２９５，２９６は、不動部を持つ外部配管に直接結合しない水路である。不動体２７内の供給水路３６，３７及び集合排水路３８は、不動部を持つ外部配管（実施の形態では、給水管路２４，２５及び排水管路４１であり、ポンプ１１，１２、貯水タンク４２が不動部となる）に直接結合する水路である。外部配管に直接結合する水路を持たない摺動体２８を移動させる構成は、外部配管に直接結合する水路を持つ不動体２７を移動させる構成に比べて配管構成上で簡便である。即ち、外部配管の高速振動に関する問題（配管損傷、配管外れ等）を考慮した配管構成が不要である。従って、選択部である摺動体２８を動かして供給部と選択部との相対位置を切り換える構成は、配管構成の上で簡便である。
【００３５】
（１-3）不動体２７内の集合排水路３８は、ポンプ１１，１２から圧送されても緯入れに供されない圧力水を定水位タンク１３に導く。従って、排水用の外部配管を１本のみ不動体２７に接続すればよく、配管構成が簡素になる。
【００３６】
（１-4）パイプ形状の摺動体２８を直線的に動かせば、不動体２７と摺動体２８との複数の特定の相対位置のうちの１つが容易にもたらされる。選択部である摺動体２８を直線的に動かす構成は、供給部である不動体２７と摺動体２８との特定の相対位置を円滑に切り換える上で簡便である。
【００３７】
（１-5）ロッド形状の不動体２７とパイプ形状の摺動体２８との嵌合構成は、緯入れ水切り換え装置のコンパクト化に有利である。
（１-6）上下に多段に配置された複数の緯入れノズル１４，１５，１６，１７は、ホルダ３１を介して摺動体２８に止着されている。従って、摺動体２８を動かせば複数の緯入れノズル１４，１５，１６，１７も一体的に移動し、前記複数の特定の相対位置の状態では、供給水路３６，３７に連通した中間水路から圧力水が供給される緯入れノズルが所定の緯入れ位置Ｒに位置する。複数の緯入れノズル１４，１５，１６，１７と摺動体２８とを一体的に移動させた構成は、緯入れすべき緯入れノズルの移動と圧力水の供給タイミングとをコンパクトな装置で同期させる上で最適である。
【００３８】
（１-7）図７（ａ），（ｂ），（ｃ），（ｄ）は、図１〜図６に示すものとは異なる形状の内筒２９Ａを不動体２７に嵌合した状態を示す。内筒２９Ａでは中間水路２９２と中間排水路２９６とが内筒２９の場合に対して左右入れ換えてある。図７（ａ）の特定の相対位置の状態は、ポンプ１１の圧力水を緯入れノズル１４に供給する状態にあり、図７（ｂ）の特定の相対位置の状態は、ポンプ１２の圧力水を緯入れノズル１５に供給する状態にある。なお、図６（ｂ）ではポンプ１１の圧力水を緯入れノズル１５に供給するようになっている点が異なっている。図７（ｃ）の特定の相対位置の状態は、ポンプ１２の圧力水を緯入れノズル１６に供給する状態にあり、図７（ｄ）の特定の相対位置の状態は、ポンプ１２の圧力水を緯入れノズル１７に供給する状態にある。内筒２９と内筒２９Ａとの入れ換えは、ねじ４３を外すことによって簡単に行なえる。従って、ポンプ１１，１２と緯入れノズル１４，１５，１６，１７との間の圧力水の供給関係の組み換えは、異なる内筒の入れ換えによって容易に行える。
【００３９】
（１-8）織機が停止した際には図１（ａ）に示す定水位タンク１３側へ流れる水により貯水タンク４２より下流側の排水管路４１内が負圧になることもある。貯水タンク４２より下流側の排水管路４１内の負圧が緯入れノズル１４，１５，１６，１７に波及すれば、緯入れノズル１４，１５，１６，１７内の水が吸い出され、圧力水の良好な噴射が阻害される。大気開放型の貯水タンク４２の存在は、貯水タンク４２より下流側の排水管路４１内の負圧が緯入れノズル１４，１５，１６，１７に波及し、吸い出されることを防止する。
【００４０】
（１-9）貯水タンク４２内に溜まっている水は分岐管４１１を経由して排水管路２１にゆっくりと流れ込むので、集合排水路３８及び供給水路３６，３７内は常に水で満たされたままとなる。従って、停台の後、特に長期間停台の後、ポンプ１１，１２からの圧力水で緯入れが行われる際、緯入れノズル１４，１５，１６，１７内の水が干上がってしまっていることはなく、緯入れノズル１４，１５，１６，１７内の水の干上がりによる緯入れ不良の発生は阻止される。
【００４１】
（１-10 ）高圧力水（５０〜１００ｋｇ／ｃｍ2 ）の管路のフレキシブルな配管構成は難しい。複数の緯入れノズル１４，１５，１６，１７の上下動を案内する不動体２７をサイドフレーム５７に止着した構成は、高圧力水（５０〜１００ｋｇ／ｃｍ2 ）の管路を不動とする配管構成を可能にする。
【００４２】
次に、図８、図９、図１０（ａ），（ｂ），（ｃ），（ｄ）及び図１１（ａ），（ｂ），（ｃ），（ｄ）の第２の実施の形態を説明する。第１の実施の形態と同じ構成部には同じ符号が付してある。
【００４３】
この実施の形態における選択弁５１は、ロッド形状の不動体４４と、不動体４４に嵌合されたパイプ形状のロータ４８とからなる。不動体４４の軸線Ｌ２を中心にして回動可能なロータ４８は、３つの筒５２，５３，５４からなる３層構造である。ロータ４８にはホルダ５５がねじ５６により止着されており、ホルダ５５には緯入れノズル１４，１５，１６，１７が環状に配列して止着されている。
【００４４】
ロッド形状の不動体４４内には第１の供給水路４５及び第２の供給水路４６が形成されており、第１の供給水路４５の流出口４５１及び第２の供給水路４６の流出口４６１が不動体４４の周面に設けられている。第１の供給水路４５はポンプ１１に連通しており、第２の供給水路４６はポンプ１２に連通している。不動体４４の周面には排水路形成フランジ４４１が一体形成されており、不動体４４の周面には排水路形成リング４７が螺着されている。排水路形成フランジ４４１及び排水路形成リング４７は、環状の集合排水路４４２を形成する。排水路形成フランジ４４１には２つの流入口４４３，４４４が軸線Ｌ２を中心とした対称な位置に形成されている。流入口４４３，４４４は集合排水路４４２に連通している。ホルダ５５の周面には歯車部５５１が形成されており、歯車部５５１には切り換えモータ５０の駆動ギヤ５０１が噛合している。
【００４５】
不動体４４の先端側には位置規制リング４９が螺着されている。ロータ４８は、位置規制リング４９と排水路形成フランジ４４１との間に位置規制される。ロータ４８には４つの緯入れノズル１４，１５，１６，１７が不動体４４の周りに配列して止着されている。ロータ４８には緯入れノズル１４，１５，１６，１７の個数と同数の中間水路４８１，４８２，４８３，４８４が形成されている。中間水路４８１，４８２，４８３，４８４は緯入れノズル１４，１５，１６，１７と１対１に対応して連通している。中間水路４８１，４８２，４８３，４８４の流入口はロータ４８を構成する筒５２に設けられている。ロータ４８には緯入れノズル１４，１５，１６，１７の個数と同数の中間排水路４８５，４８６，４８７，４８８が形成されている。図９は、ロータ４８の各筒５２，５３，５４を展開した分解斜視図を表す。
【００４６】
切り換えモータ５０が回転するとロータ４８が回動し、選択部となるロータ４８と供給部となる不動体４４との相対位置が切り換えられる。不動体４４に対するロータ４８の相対位置は、図１０（ａ），（ｂ），（ｃ），（ｄ）に示す４つの相対位置に特定される。これら特定の相対位置の状態では、中間排水路４８５，４８６，４８７，４８８のうちのいずれか１つが流入口４４３を介して集合排水路４４２に連通する。図１０（ａ），（ｂ），（ｃ），（ｄ）における矢印Ｑは、軸線Ｌ２の方向に見たときの緯入れノズル１４，１５，１６，１７に供給される圧力水の流れ方向を表す。
【００４７】
図１０（ａ）に示す不動体４４とロータ４８との第１の特定の相対位置の状態では、第１の供給水路４５の流出口４５１と中間水路４８１とが連通し、第２の供給水路４６の流出口４６１と中間排水路４８５とが連通する。第１の特定の相対位置の状態では、緯入れノズル１４が緯入れ位置Ｒに位置する。ポンプ１１から圧送された圧力水は、第１の供給水路４５及び中間水路４８１を経由して緯入れノズル１４に供給される。又、ポンプ１２から圧送された圧力水は、第２の供給水路４６、中間排水路４８５及び集合排水路４４２を経由して定水位タンク１３に還流する。
【００４８】
図１０（ｂ）に示す不動体４４とロータ４８との第２の特定の相対位置の状態では、第１の供給水路４５の流出口４５１と中間水路４８２とが連通し、第２の供給水路４６の流出口４６１と中間排水路４８６とが連通する。第２の特定の相対位置の状態では、緯入れノズル１５が緯入れ位置Ｒに位置する。ポンプ１１から圧送される圧力水は、第１の供給水路４５及び中間水路４８２を経由して緯入れノズル１５に供給される。又、ポンプ１２から圧送される圧力水は、第２の供給水路４６、中間排水路４８６及び集合排水路４４２を経由して定水位タンク１３に還流する。
【００４９】
図１０（ｃ）に示す不動体４４とロータ４８との第３の特定の相対位置の状態では、第１の供給水路４５の流出口４５１と中間排水路４８７とが連通し、第２の供給水路４６の流出口４６１と中間水路４８３とが連通する。第３の特定の相対位置の状態では、緯入れノズル１６が緯入れ位置Ｒに位置する。ポンプ１２から圧送される圧力水は、第２の供給水路４６及び中間水路４８３を経由して緯入れノズル１６に供給される。又、ポンプ１１から圧送される圧力水は、第１の供給水路４５、中間排水路４８７及び集合排水路４４２を経由して定水位タンク１３に還流する。
【００５０】
図１０（ｄ）に示す不動体４４とロータ４８との第４の特定の相対位置の状態では、第１の供給水路４５の流出口４５１と中間排水路４８８とが連通し、第２の供給水路４６の流出口４６１と中間水路４８４とが連通する。第４の特定の相対位置の状態では、緯入れノズル１７が緯入れ位置Ｒに位置する。ポンプ１２から圧送される圧力水は、第２の供給水路４６及び中間水路４８４を経由して緯入れノズル１７に供給される。又、ポンプ１１から圧送される圧力水は、第１の供給水路４５、中間排水路４８８及び集合排水路４４２を経由して定水位タンク１３に還流する。
【００５１】
図１１（ａ），（ｂ），（ｃ），（ｄ）は別のロータ４８Ａを不動体４４に嵌合した状態を示す。図１２は、ロータ４８Ａの各筒５２，５３，５４を展開した分解斜視図を表す。ロータ４８Ａでは中間水路４８２と中間排水路４８６とが入れ換えてある。図１１（ａ）の特定の相対位置の状態は、ポンプ１１の圧力水を緯入れノズル１４に供給する状態にあり、図１１（ｂ）の特定の相対位置の状態は、ポンプ１２の圧力水を緯入れノズル１５に供給する状態にある。図１１（ｃ）の特定の相対位置の状態は、ポンプ１２の圧力水を緯入れノズル１６に供給する状態にあり、図１１（ｄ）の特定の相対位置の状態は、ポンプ１２の圧力水を緯入れノズル１７に供給する状態にある。ロータ４８とロータ４８Ａとの入れ換えは、位置規制リング４９及びねじ５６を外すことによって簡単に行なえる。従って、ポンプ１１，１２と緯入れノズル１４，１５，１６，１７との間の圧力水の供給関係の組み換えは、異なるロータの入れ換えによって容易に行える。
【００５２】
この実施の形態においても、第１の実施の形態における（１-1）項〜（１-3）項、（１-5）項〜（１-7）項と同様の効果が得られる。又、選択部となるロータ４８を回動すれば、供給部となる不動体４４とロータ４８との複数の特定の相対位置のうちの１つが容易にもたらされる。選択部であるロータ４８を回動する構成は、不動体４４とロータ４８との特定の相対位置を円滑に切り換える上で簡便である。
【００５３】
次に、図１３〜図１６の第３の実施の形態を説明する。第１の実施の形態と同じ構成部には同じ符号が付してある。
この実施の形態では、３つの緯入れノズル１４，１５，１６及び３つのポンプ１０，１１，１２が用いられている。摺動体６７と共に選択弁７３を構成する不動体６６には３つの供給水路６９，７０，７１が形成されている。外筒３０と共に摺動体６７を構成する内筒６８には中間水路６８１，６８２，６８３及び中間排水路６８４，６８５，６８６，６８７，６８８，６８９が形成されている。
【００５４】
図１３（ａ），（ｂ）及び図１４（ａ），（ｂ），（ｃ）は、ポンプ１０からの圧力水を緯入れノズル１４に供給すると共に、他のポンプ１１，１２からの圧力水を排水する場合を示す。なお、図１３（ｂ）は図１３（ａ）のＣ−Ｃ線断面図、図１４（ａ）は図１３（ａ）のＤ−Ｄ線断面図、図１４（ｂ）は図１３（ａ）のＥ−Ｅ線断面図、図１４（ｃ）は図１３（ａ）のＦ−Ｆ線断面図である。特に、第３の実施の形態では、図１４（ａ），（ｂ），（ｃ）に示すように、摺動体６７の内筒６８は第１の実施の形態と異なっており、また内筒６８と外筒３０との間には、給水通路３１１部位が穿孔された薄肉の筒体７５が介在されている。
【００５５】
図１３（ａ），（ｂ）に示す不動体６６と摺動体６７との第１の特定の相対位置の状態では、供給水路６９の流出口６９１と中間水路６８１とが連通する。又、供給水路７０の流出口７０１と中間排水路６８４とが連通すると共に、中間排水路６８４と集合排水路７２の流入口７２２とが連通し、供給水路７１の流出口７１１と中間排水路６８５とが連通すると共に、中間排水路６８５と集合排水路７２の流入口７２３とが連通する。第１の特定の相対位置の状態では、緯入れノズル１４が緯入れ位置Ｒに位置する。ポンプ１０から圧送された圧力水は、図１４（ａ）をも参照し、供給水路６９及び中間水路６８１、給水通路３１１を経由して緯入れノズル１４に供給される。又、ポンプ１１から圧送された圧力水は、供給水路７０、中間排水路６８４、集合排水路７２及び排水管路４１を経由して定水位タンク１３に還流し、ポンプ１２から圧送された圧力水は、供給水路７１、中間排水路６８５、集合排水路７２及び排水管路４１を経由して定水位タンク１３に還流する。
【００５６】
図１５（ａ），（ｂ）に示す不動体６６と摺動体６７との第２の特定の相対位置の状態では、供給水路７０の流出口７０１と中間水路６８２とが連通する。又、供給水路６９の流出口６９１と中間排水路６８６とが連通すると共に、中間排水路６８６と集合排水路７２の流入口７２１とが連通し、供給水路７１の流出口７１１と中間排水路６８７とが連通すると共に、中間排水路６８７と集合排水路７２の流入口７２３とが連通する。第２の特定の相対位置の状態では、緯入れノズル１５が緯入れ位置Ｒに位置する。ポンプ１１から圧送された圧力水は、供給水路７０、中間水路６８２及び給水通路３１１を経由して緯入れノズル１５に供給される。又、ポンプ１０から圧送された圧力水は、供給水路６９、中間排水路６８６、集合排水路７２及び排水管路４１を経由して定水位タンク１３に還流し、ポンプ１２から圧送された圧力水は、供給水路７１、中間排水路６８７、集合排水路７２及び排水管路４１を経由して定水位タンク１３に還流する。
【００５７】
図１６（ａ），（ｂ）に示す不動体６６と摺動体６７との第３の特定の相対位置の状態では、供給水路７１の流出口７１１と中間水路６８３とが連通する。又、供給水路６９の流出口６９１と中間排水路６８８とが連通すると共に、中間排水路６８８と集合排水路７２の流入口７２１とが連通し、供給水路７０の流出口７０１と中間排水路６８９とが連通すると共に、中間排水路６８９と集合排水路７２の流入口７２２とが連通する。第３の特定の相対位置の状態では、緯入れノズル１６が緯入れ位置Ｒに位置する。ポンプ１２から圧送された圧力水は、供給水路７１及び中間水路６８３を経由して緯入れノズル１６に供給される。又、ポンプ１０から圧送された圧力水は、供給水路６９、中間排水路６８８、集合排水路７２及び排水管路４１を経由して定水位タンク１３に還流し、ポンプ１１から圧送された圧力水は、供給水路７０、中間排水路６８９、集合排水路７２及び排水管路４１を経由して定水位タンク１３に還流する。
【００５８】
各緯入れノズル１４，１５，１６に引き通される各緯糸の性状が大幅に異なる場合にポンプを共有する構成は、緯入れ性能の確保、布品位の確保の面で支障を生じ易い。緯入れノズルとポンプとを１対１に対応させる構成は、各緯入れノズル１４，１５，１６に引き通される各緯糸の性状が大幅に異なる場合に有効である。
【００５９】
本発明では以下のような実施の形態も可能である。
（１）図５に示す第１の実施の形態において、中間排水路２９３，２９４を一体化した単一の中間排水路、及び中間排水路２９５，２９６を一体化した単一の中間排水路を備えた摺動体を用いること。
（２）２つ、あるいは４つ以上の緯入れノズルを備えた織機において、緯入れノズル１つに対して１つのポンプを対応させること。
（３）３つ以上のポンプでポンプの個数よりも多い緯入れノズルに圧力水を供給するようにすること。
（４）複数の緯入れノズルを固定配置した織機に本発明を適用すること。
【００６０】
【発明の効果】
以上詳述したように本発明では、複数の供給水路のうちの１つと複数の中間水路のうちの１つとを連通する供給部と選択部との特定の相対位置を中間水路の個数と同数とし、前記複数の特定の相対位置のそれぞれの状態では、前記複数の特定の相対位置のそれぞれに対応して中間水路に連通する供給水路以外の供給水路が中間排水路に連通するようにしたので、配管構成が簡素でコンパクト化が容易、かつ装置コストも低減できるという優れた効果を奏する。
【図面の簡単な説明】
【図１】第１の実施の形態を示し、（ａ）は全体配管図。（ｂ）は要部断面図。
【図２】緯入れノズルを示す要部正面図。
【図３】選択弁及び緯入れノズルを示す要部側面図。
【図４】（ａ）は図１（ｂ）のＡ１−Ａ１線断面図。（ｂ）は図１（ｂ）のＡ２−Ａ２線断面図。（ｃ）は図１（ｂ）のＢ−Ｂ線断面図。
【図５】（ａ）は第１の特定の相対位置の状態を示す要部断面図。（ｂ）は第２の特定の相対位置の状態を示す要部断面図。（ｃ）は第３の特定の相対位置の状態を示す要部断面図。（ｄ）は第４の特定の相対位置の状態を示す要部断面図。
【図６】（ａ）は要部分解斜視図。（ｂ）は要部分解破断斜視図。
【図７】別の摺動体を不動体に装着した状態を示し、（ａ）は第１の特定の相対位置の状態を示す要部断面図。（ｂ）は第２の特定の相対位置の状態を示す要部断面図。（ｃ）は第３の特定の相対位置の状態を示す要部断面図。（ｄ）は第４の特定の相対位置の状態を示す要部断面図。
【図８】第２の実施の形態を示す要部断面図。
【図９】ロータ４８の各筒を展開した分解斜視図。
【図１０】（ａ）は第１の特定の相対位置の状態を示す要部断面図。（ｂ）は第２の特定の相対位置の状態を示す要部断面図。（ｃ）は第３の特定の相対位置の状態を示す要部断面図。（ｄ）は第４の特定の相対位置の状態を示す要部断面図。
【図１１】別の摺動体を不動体に装着した状態を示し、（ａ）は第１の特定の相対位置の状態を示す要部断面図。（ｂ）は第２の特定の相対位置の状態を示す要部断面図。（ｃ）は第３の特定の相対位置の状態を示す要部断面図。（ｄ）は第４の特定の相対位置の状態を示す要部断面図。
【図１２】ロータ４８Ａの各筒を展開した分解斜視図。
【図１３】第３の実施の形態を示し、（ａ）は第１の特定の相対位置の状態を示す要部縦断面図。（ｂ）は（ａ）のＣ−Ｃ線断面図。
【図１４】（ａ）は図１３（ａ）のＤ−Ｄ線断面図。（ｂ）は図１３（ａ）のＥ−Ｅ線断面図。（ｃ）は図１３（ａ）のＦ−Ｆ線断面図。
【図１５】（ａ）は第２の特定の相対位置の状態を示す要部縦断面図。（ｂ）は（ａ）のＧ−Ｇ線断面図。
【図１６】（ａ）は第３の特定の相対位置の状態を示す要部縦断面図。（ｂ）は（ａ）のＨ−Ｈ線断面図。
【符号の説明】
１０，１１，１２…ポンプ。１４，１５，１６，１７…緯入れノズル。２６，５１，７３…選択弁。２７，４４，６６…供給部となる不動体。２８，２８Ａ，６７…選択部となる摺動体。２９１，２９２，２９７，２９８…中間水路。２９３，２９４，２９５，２９６…中間排水路。３６，３７…供給水路。３８…集合排水路。３９，５０…切り換え手段を構成する切り換えモータ。４５，４６…供給水路。４８，４８Ａ…選択部となるロータ。４８１，４８２，４８３，４８４…中間水路。４８５，４８６，４８７，４８８…中間排水路。６８１，６８２，６８３…中間水路。６８４，６８５，６８６，６８７，６８８，６８９…中間排水路。６９，７０，７１…供給水路。
【図１】
0004062823.tif 000002
【図２】
0004062823.tif 000003
【図３】
0004062823.tif 000004
【図４】
0004062823.tif 000005
【図５】
0004062823.tif 000006
【図６】
0004062823.tif 000007
【図７】
0004062823.tif 000008
【図８】
0004062823.tif 000009
【図９】
0004062823.tif 000010
【図１０】
0004062823.tif 000011
【図１１】
0004062823.tif 000012
【図１２】
0004062823.tif 000013
【図１３】
0004062823.tif 000014
【図１４】
0004062823.tif 000015
【図１５】
0004062823.tif 000016
【図１６】
0004062823.tif 000017